(57)【要約】      （修正有）【課題】特許文献項目別文献件数時系列マップを作成、して該マップを観察して所望する文献項目を抽出する方法の代替にする特許文献集合の分析方法を提供する。【解決手段】文献項目別文献件数時系列データ表を作成するステップと、ダミーを追記して文献項目別ダミー別文献件数時系列データ表を作成するステップと、該表のダミーと文献項目毎の文献件数の時系列方向の相関係数を算出して相関係数を前記文献項目別文献件数時系列データ表に追記して作成した文献項目別文献件数時系列、ダミー区間別ダミーとの相関係数表の相関係数と、該相関係数の大きさにより層別結果に基づいて設定した層別記号を入れ替えて作成した文献項目別文献件数時系列並びにダミー区間別文献件数動向層別チャートの列記号、層別記号及び区分別文献件数を用いて課題に叶う文献項目を抽出にする。【選択図】図２
2020067998.tif 000002
【特許請求の範囲】
【請求項１】
特許文献分析ソフトおよび表計算ソフトがインストールされているコンピュータで実行する特定の特許文献集合の分析方法において
分析対象とする特許分類や出願人やキーワードが記載されている文献項目列（便宜上、Ｙ軸と記載する）と分析対象期間を等分割した区分の時間軸（便宜上、Ｘ軸とし各区分には時系列推移と座標名、Ｘｉが記載、ここでｉは連続的に変化する自然数）で構成されている表の文献項目と座標名、Ｘｉが交わるマス目には両項目の条件を満たす文献件数、Ｙｉが記載されている文献項目別文献件数時系列データ表を作成するステップと
前記文献項目別文献件数時系列データ表の分析対象期間の連続した３個の区分からなる区間に文献項目のダミーとして文献件数時系列動向の勾配がゼロ以外の直線となるダミーを追記して文献項目別ダミー別文献件数時系列データ表を作成するステップと
前記文献項目別ダミー別文献件数時系列データ表のダミーとＹ軸の文献項目毎の文献件数の時系列方向の相関係数を算出、該算出した相関係数を前記文献項目別文献件数時系列データ表に追記して作成した文献項目別文献件数時系列、ダミー区間別ダミーとの相関係数表の相関係数と、該相関係数の大きさにより前記ダミー区間別の文献件数動向を、Ｘ軸に平行、単調増加、近似不可、単調減少の４種類に層別、該層別結果に基づいて設定した層別記号を入れ替えて作成した文献項目別文献件数時系列、ダミー区間別文献件数動向層別チャートの列記号、層別記号、区分別文献件数を用いて課題に叶う文献項目を抽出にすることを特徴とする特許文献集合の分析方法。
【請求項２】
前記文献項目別文献件数時系列データ表の分析対象期間の連続した３個の区分からなる区間に文献項目のダミーとして文献件数の時系列動向の勾配がゼロ以外の直線となるダミーを追記する代わりに、前記文献項目別文献件数時系列データ表の分析対象期間の連続した３個の区分からなる全ての区間に文献項目のダミーとして文献件数の時系列動向の勾配がゼロ以外の直線となるダミーを追記して作成した文献項目別、ダミー別文献件数時系列データ表を使用する請求項１に記載の特許文献集合の分析方法。
【請求項３】
前記文献項目別文献件数時系列、ダミー区間別文献件数動向層別チャートの代わりに該チャートにダミー区間別文献件数動向勾配を追記した、文献項目別文献件数時系列、ダミー区間別文献件数動向勾配、文献件数動向層別チャートの列記号、層別記号、区分別文献件数、ダミー区間別文献件数動向勾配を用いて課題に叶う文献項目を抽出する請求項１に記載の特許文献集合の分析方法。
【請求項４】
請求項１に記載の層別記号を視覚による識別機能とコンピュータで昇順、降順の並び替えができる機能の二種類の機能を有する層別記号とする請求項１に記載の特許文献集合の分析方法。
【発明の詳細な説明】
【技術分野】
【０００１】本発明は特定の特許文献集合の文献項目別件数時系列データの分析方法に関するものである。
【背景技術】
【０００２】本発明は特定の特許文献集合の分析対象区間の文献項目別件数時系列データの中から、特定の区間、単調増加する、Ｖ字型動向を示す等の特定の件数時系列動向を示す文献項目を抽出する、あるいは、特定の区間、特定の文献項目と相似の件数時系列動向を示す文献項目を抽出する方法は、現状では多くの文献項目別文献件数時系列マップを作成、該マップを観察して所望する文献項目を抽出している。【０００３】特許マップを用いて前記特定の文献集合の中から特定の文献件数時系列動向を示す文献項目を抽出する方法では多数の特許マップを作成する必要があり多大な工数を要するため、この方法を改善した、特許マップの観察に頼らない方法で特定の特許文献集合の中から文献件数が単調増加動向やＶ字型動向を示す特許文献項目を抽出する方法が記載されている特許文献としては特許文献１、特許文献２、特許文献３がある。【０００４】特許文献１には時系列特許マップの特許文献項目別文献件数の時系列推移と単調増加するダミーとの相関係数を求め、該求めた相関係数により正負の相関有り、正負の相関無しに分類する方法が記載されているが、直線をつなぎ合わせた折れ線で表現される特許文献項目別の文献件数の時系列動向を分析する方法には至っていない。【０００５】特許文献２には特定の特許文献項目同士の件数時系列推移の相関係数により相似の時系列推移をしているか否かの判定方法であり、前記特定の特許文献同士の一方の文献件数の時系列推移をＶ字型とか折線型とかのようにすれば、２直線の組合せで出来る文献件数時系列推移パターンを有する特許文献項目は抽出することはできるが、該方法も直線をつなぎ合わせた折れ線で表現される特許文献項目別の文献件数の時系列動向を分析する方法には至っていない。【０００６】特許文献３には種々の時間区分より成る文献項目の直線ダミーとの相関係数により、特定の区間の文献項目の文献件数時系列動向が単調増加であるとか単調減少であるとかの判定方法が記載されているが相関係数の観察からだけでは特定の文献項目の文献件数時系列動向をイメージとして把握することは困難である。
【先行技術文献】
【特許文献】
【０００７】
【特許文献１】特許第５５２７５６６号公報
【特許文献２】特許第５７６５６９１号公報
【特許文献３】特許第６３８０８７１号公報
【発明の概要】
【発明が解決しようとする課題】
【０００８】本発明は特定の特許文献集合の分析対象区間全体の文献項目別文献件数時系列動向を視覚で俯瞰しながら単調増加する、Ｖ字型動向を示す等の特定の文献件数時系列動向を示す文献項目を抽出することや、特定の区間で特定の文献項目と相似の文献件数時系列動向を示す文献項目を抽出する方法を提供することである。
【課題を解決するための手段】
【０００９】上記課題を解決するために、本件発明は、以下の特徴を有する課題を解決するための手段を採用している。【００１０】本願請求項１に係わる特許文献集合の分析方法は
特許文献分析ソフトおよび表計算ソフトがインストールされているコンピュータで実行する特定の特許文献集合の分析方法において
分析対象とする特許分類や出願人やキーワードが記載されている文献項目列（便宜上、Ｙ軸と記載する）と分析対象期間を等分割した区分の時間軸（便宜上、Ｘ軸とし各区分には時系列推移と座標名、Ｘｉが記載、ここでｉは連続的に変化する自然数）で構成されている表の文献項目と座標名、Ｘｉが交わるマス目には両項目の条件を満たす文献件数、Ｙｉが記載されている文献項目別文献件数時系列データ表を作成するステップと
前記文献項目別文献件数時系列データ表の分析対象期間の連続した３個の区分からなる区間に文献項目のダミーとして文献件数時系列動向の勾配がゼロ以外の直線となるダミーを追記して文献項目別ダミー別文献件数時系列データ表を作成するステップと
前記文献項目別ダミー別文献件数時系列データ表のダミーとＹ軸の文献項目毎の文献件数の時系列方向の相関係数を算出、該算出した相関係数を前記文献項目別文献件数時系列データ表に追記して作成した文献項目別文献件数時系列、ダミー区間別ダミーとの相関係数表の相関係数と、該相関係数の大きさにより前記ダミー区間別の文献件数動向を、Ｘ軸に平行、単調増加、近似不可、単調減少の４種類に層別、該層別結果に基づいて設定した層別記号を入れ替えて作成した文献項目別文献件数時系列、ダミー区間別文献件数動向層別チャートの列記号、層別記号、区分別文献件数を用いて課題に叶う文献項目を抽出にすることを特徴とする特許文献集合の分析方法である。【００１１】本請求項２に係わる特許文献集合の分析方法は、
前記文献項目別文献件数時系列データ表の分析対象期間の連続した３個の区分からなる区間に文献項目のダミーとして文献件数の時系列動向の勾配がゼロ以外の直線となるダミーを追記する代わりに、前記文献項目別文献件数時系列データ表の分析対象期間の連続した３個の区分からなる全ての区間に文献項目のダミーとして文献件数の時系列動向の勾配がゼロ以外の直線となるダミーを追記して作成した文献項目別、ダミー別文献件数時系列データ表を使用する請求項１に記載の特許文献集合の分析方法である。【００１２】本請求項３に係わる特許文献集合の分析方法は、
前記文献項目別文献件数時系列、ダミー区間別文献件数動向層別チャートの代わりに該チャートにダミー区間別文献件数動向勾配を追記した、文献項目別文献件数時系列、ダミー区間別文献件数動向勾配、文献件数動向層別チャートの列記号、層別記号、区分別文献件数、ダミー区間別文献件数動向勾配を用いて課題に叶う文献項目を抽出する請求項１に記載の特許文献集合の分析方法である。【００１３】本請求項４に係わる特許文献集合の分析方法は、
請求項１に記載の層別記号を視覚による識別機能とコンピュータで昇順、降順の並び替えができる機能の二種類の機能を有する層別記号とする請求項１に記載の特許文献集合の分析方法である。
【発明の効果】
【００１４】特許文献集合の分析対象区間全体の文献項目別件数時系列動向を俯瞰できるので、前記分析対象区間の中の重要区間の見極めができ、多数の特許マップを描く必要はないので作業の工数低減ができるようになる。
【図面の簡単な説明】
【００１５】
【図１】特許文献分析装置
【図２】特許文献集合の分析フローチャート
【図３】ＢＳのＦターム別文献件数時系列データ表
【図４】ＢＳのＦターム別ダミー別文献件数時系列データ表
【図５】ＢＳのＦターム別文献件数時系列、ダミー区間別ダミーとの相関係数表
【図６】相関係数による文献件数動向近似直線の層別記号
【図７】ＢＳのＦターム別文献件数時系列、ダミー区間別文献件数動向層別チャート
【図８】ＢＳのＦターム別文献件数時系列、ダミー区間別文献件数動向勾配、文献件数動向層別チャート
【図９】▲１１▼２０１７年から遡って単調増加期間が最も長い文献項目を探索するために並べ替えしたＢＳのＦターム別文献件数時系列、ダミー区間別文献件数動向層別チャート
【図１０】▲１１▼２０１７年まで最も長期間単調増加を継続してきたＢＳ０３の文献件数時系列マップ
【図１１】直近でＶ字型転換しているＢＳのＦターム（その１）、ＢＳ０９の文献件数時系列マップ
【図１２】直近でＶ字型転換しているＢＳのＦターム（その２）、ＢＳ１３の文献件数時系列マップ
【図１３】独立文献項目、ＢＳ１３（自由度７）と該ＢＳ１３の文献集合に含まれている従属文献項目のＦターム別、ダミー別文献件数時系列データ表
【図１４】ＢＳ１３（独立文献項目）のＦターム（従属文献項目）別文献件数時系列、ダミー区間別文献件数動向層別チャート
【図１５】▲７▼２０１３年〜▲９▼２０１５年の間は単調減少、▲９▼２０１５年以降は再び単調増加に転じないＢＳ１３のＦターム別文献件数時系列、ダミー区間別文献件数動向層別チャート
【図１６】図１５のマップ
【図１７】▲７▼２０１３年〜▲９▼２０１５年は単調減少、▲９▼２０１５年〜▲１１▼２０１７年は単調増加するＢＳ１３のＦターム別文献件数時系列、ダミー区間別文献件数動向層別チャート
【図１８】図１７のマップ
【図１９】▲９▼２０１５年以前は独立文献項目、ＢＳ１３と相似の文献件数時系列動向を示していなかったが、▲９▼２０１５年以降は単調増加しているＢＳ１３のＦターム別文献件数時系列、ダミー区間別文献件数動向層別チャート
【図２０】図１９のマップ
【発明を実施するための形態】
【００１６】以下、図１〜図２０を参照して本発明の形態について説明する。
【００１７】図１に特定の文献集合の分析に用いる特許文献分析装置の一実施例を示すが、該特許文献分析装置１はコンピュータ２とその付帯設備で構成されており、該コンピュータ２は制御装置３、演算装置４、記憶装置５及びＩ／Ｏ６を有し、該Ｉ／Ｏ６の入力側には、入力装置としてキーボード７、マウス８、入力装置９、ＭＯドライブ等を含むＣＤ−ＲＯＭドライブ１０が接続されており、Ｉ／Ｏ６の出力側には、ＣＲＴ（液晶デイスプレイを含む）からなる表示装置１１、プリンタ１２等が接続されており、さらに通信回線１４を通して日立情報システムズやＮＲＩサイバーパテント等のＡＳＰの特許データベース１３に接続することもできる。
【００１８】特許文献分析装置１の記憶装置には特許文献分析ソフト、表計算ソフト等、本願記載の分析に必要な全てのソフトは予め記憶装置５にインストールされており、特許マップの作成は、入力装置９を操作して、記憶装置５に予めストアされている特許文献集合のフロントページを開き、項目選択ボタンでマップ選択すると、特定の特許文献集合の特許文献項目別件数を降順又は昇順に表示した、所謂、ランキング特許マップや前記項目別件数の時系列推移を表示した、所謂、時系列特許マップや行と列に特定の特許文献項目を配し、該行と列の交差するマス目には行、列それぞれの特許文献項目が付与されている項目の件数が記載されている、所謂、マトリクスマップ等の各種特許マップのメニューが表示されるので、使用目的に応じたマップの種類を選択、各種マップ作成に必要な項目を設定して所望の特許マップを作成することができ、又、該特許マップから数値テーブルへの切り替は入力装置９の操作により容易に行うことが出来る。
【００１９】前記、特許マップを切り替えて作成した数値データはコピーして、前記コンピュータにインストールされている表計算ソフトの任意のシートに貼りつけることが出来るので表計算ソフトが有している機能、例えばシートの行、列の挿入、削除、セル同士の四則演算、特定の項目同士の相関マトリクスの作成、グラフ作成機能、該作成したグラフの近似曲線描画機能等、全て使用できるようになっている。
【００２０】分析に必要な特許文献集合は、入力装置９を操作して、特許データベース１３にアクセス、検索目的の応じた特許文献検索式を用いて特許データベース検索を実施、該検索で収集した文献集合を前記特許文献分析装置にインストールされている特許文献分析ソフトで処理できるデータ形式に変換、該データ形式に変換した文献集合をスクリーニング、該スクリーニング済の文献集合を記憶装置５にストア、必要な時に記憶装置５にストアされている文献集合を開いて使用するというシステムになっている。
【００２１】前記特許データベース１３の替わりにＣＤ−ＲＯＭ等ドライブ１０に公開特許公報ＣＤをセットして使用することも可能である。
【００２２】以下、図１の特許文献分析装置、図２の特許文献集合の分析のフローチャート等の図を参照して本発明の特許文献集合の分析方法を説明するが、本発明の説明に係わるに特定の文献集合や分析用ソフトは予め前記記憶装置５にストアされているものとする。
【００２３】Ｓ１、特定の特許文献集合の文献項目別文献件数時系列データ表（例として図３参照）を作成する。
【００２４】本ステップは前記特許文献分析ソフトを用いて作成した特定の特許文献集合の文献項目（出願人や特許分類を総称して文献項目と記載している）別文献件数時系列マップのデータを用いて文献項目別文献件数時系列データ表（例として図３参照）を作成するステップである。
【００２５】前記文献項目別文献件数時系列データ表（例として図３参照）の文献項目は特定の特許文献集合自身の文献項目と該文献項目を構成している多数の文献項目を同時に含む集合の場合（例として図１３参照、文献項目ＮＯ．１以下のＦタームはＮＯ．０の３Ｃ７０７ＢＳ１３の集合に含まれているＦターム）は、前記特定の特許文献集合自身の文献項目（３Ｃ７０７ＢＳ１３）を独立文献項目、後者の文献項目（ＮＯ．１以下のＦターム）を従属文献項目と記載し、前記独立文献項目を含まない場合は全ての文献項目を単に文献項目と記載している。
【００２６】前記文献項目別文献件数時系列データ表（例として図３参照）に独立文献項目が含まれていない場合は特定の文献件数時系列動向、例えば単調増加とかＶ字型等の特定の文献件数時系列動向を示す文献項目を前記文献項目別文献件数時系列データ表の中から抽出することになるが、前記独立文献項目が含まれている場合（例として図１３参照）は、前記文献項目別文献件数時系列データ表の中から前記特定の文献件数時系列動向を示す文献項目の抽出以外に、前記独立文献項目の文献件数時系列動向を支配している従属文献項目を抽出をすることができるようになる。
【００２７】換言すると、例えば、コア技術（独立文献項目）の文献件数動向がＶ字動向の場合、常にコア技術と相似の文献件数動向を示す要素技術（従属文献項目）を、あるいは、コア技術の文献件数動向の単調減少に伴って衰退してしまった要素技術（従属文献項目）を、あるいはコア技術の文献件数動向の単調増加に伴って新たに出現した要素技術（従属文献項目）を抽出することが出来るようになる。
【００２８】特定の特許文献集合の前記文献項目別文献件数時系列データ表（例として図３参照）の作成方法は、前記特許文献分析装置１にインストールされている前記特許文献ソフトを用いて既に記憶装置５に保存されている特定の特許文献集合の特許マップ作成オブジェクトを開き、該オブジェクトの中から作成対象として時系列特許マップを選択、該時系列特許マップのプロパテイ選択画面で，特許マップに表示するＩＰＣとかＦＩとかＦタームとか出願人とかの文献項目の中から具体的な項目を選択後、分析対象とする期間と該期間を分割する単位、例えば半期、１年、２年等を決定、その他特許マップ作成に必要な諸元を決定して特許マップ作成を実行、該作成した特許マップを数値データに切替えて作成する。
【００２９】前記文献項目別文献件数時系列データ表（例として図３参照）は文献項目軸（便宜上、Ｙ軸と記載する）と時間軸（便宜上、Ｘ軸と記載する）で構成されており、文献項目軸には分析対象とする出願人とか特許分類の文献項目が記載され、時間軸は分析対象期間を半期、１年、２年等で等分割した区分で構成されており、各区分には時系列推移と座標名、Ｘｉ（ｉは連続的に変化する自然数）が記載されており、該表のＹ軸とＸ軸の項目が交わるマス目には両項目の条件を満たす項目毎の文献件数、Ｙｉが記載されている。
【００３０】Ｓ２、前記文献項目別文献件数時系列データ表（例として図３参照）のＸ軸の連続した３個の区分より成る区間の文献項目のダミーとして文献件数の時系列動向の勾配がゼロ以外の直線となるダミーＤｉ（ここでＤはダミーを、ｉは該ダミーの始点のＸ軸の座標名Ｘｉのｉをあらわしている）を設定して文献項目別ダミー別文献件数時系列データ表（例として図４参照）を作成する。
【００３１】前記ダミー、Ｄｉの種類を区分個数３個のダミーだけにしている理由は、該ダミーとの相関係数を使用して前記文献項目の文献件数時系列動向の直線性を判定できる最少の個数であること及び該ダミーの区分個数が少ないおかげで前記文献項目の文献件数時系列動向の直線性を小刻みに判定することが出来るので放物線のような曲線でも下に凸、上に凸の判定ができるからである。
【００３２】分析対象期間の任意区間で単調増加、又は、単調減少する文献項目を抽出しようとする場合は、前記分析対象期間のＸ軸の連続した３個の区分より成る全ての区間に前記ダミーを設定、分析対象区間の特定の区間で単調増加、又は、単調減少する文献項目を抽出しようとする場合は、該単調増加、又は、単調減少する特定の区間に合わせて、前記ダミーを組合わせて、例えば、前記Ｘ軸のＸ１〜Ｘ４にまたがる単調増・減の文献項目を抽出したい場合はダミーＤ１（Ｘ座標、Ｘ１、Ｘ２、Ｘ３のダミー）とダミーＤ２（Ｘ座標、Ｘ２、Ｘ３、Ｘ４のダミー）を一セットのダミーとして、Ｘ１〜Ｘ５にまたがる単調増・減の文献項目を抽出したい場合はダミーＤ１（Ｘ座標、Ｘ１、Ｘ２、Ｘ３のダミー）とダミーＤ３（Ｘ座標、Ｘ３、Ｘ４、Ｘ５のダミー）を一セットのダミーとして使用する。
【００３３】Ｓ３、前記文献項目別文献件数時系列データ表（例として図３参照）に前記ダミーＤｉと前記Ｙ軸の特許文献項目毎の文献件数の時系列方向の相関係数を追記して文献項目別文献件数時系列、ダミー区間別ダミーとの相関係数表（例として図５参照）を作成する。
【００３４】前記ダミー、Ｄｉと前記Ｙ軸の特許文献項目毎の文献件数の時系列方向の相関係数の前記文献項目別文献件数時系列データ表（例として図３参照）への追記は前記特許文献分析装置１にインストールされている表計算ソフトの相関係数算出機能を使用して前記文献項目別ダミー別文献件数時系列データ表（例として図４参照）の全てのダミーと前記Ｙ軸の全ての特許文献項目の組合せの相関係数が算出される相関係数マトリクスを作成、該相関係数マトリクスから必要とする部分だけをコピーして前記文献項目別文献件数時系列データ表（例として図３参照）にペイストして作成する。
【００３５】Ｓ４、前記文献項目別文献件数時系列、ダミー区間別ダミーとの相関係数表（例として図５参照）の相関係数と該相関係数の大きさにより前記ダミー区間の文献件数動向を、Ｘ軸に平行、単調増加、近似不可、単調減少の４種類に層別して設定した層別記号（該層別記号は視覚で識別できる機能とコンピュータで昇順、降順の並び替えができる機能を有するものとする）を入れ替えて文献項目別文献件数時系列、ダミー区間別文献件数動向層別チャート（例として図７参照）を作成する。
【００３６】前記、前記文献項目別文献件数時系列、ダミー区間別ダミーとの相関係数表（例として図５参照）に記載してある相関係数（Ｒと記載する）の大きさで当該ダミー区間の文献項目の時系列件数動向を直線近似できるか否か、直線近似できる場合はその勾配は正か負かを判定する相関係数Ｒの判定基準値の算出方法例として数１を掲載する。
【数１】
2020067998.tif 000003
ここで  Ｎは相関係数算出区間のデータ個数、本発明はＮは３に限定しているので、
Ｒ＝０．９が直線近似できるか否かの判定基準値とする
相関係数算出区間のダミーの勾配が正の場合は
Ｒ≧０．９  は直線近似ができ、該近似直線の勾配は正である
Ｒ≦−０．９  は直線近似ができ、該近似直線の勾配は負である
−０．９＜Ｒ＜０．９は直線近似は不可
相関係数算出区間のダミーの勾配が負の場合は上記近似直線の勾配は正、負が入れ替る。
数１の出典：「オペレーション・リサーチ」  １９９７年７月号、上田太郎著
【００３７】前記、数１で算出した基準値は絶対的な値でなく、分析の要求精度に応じて変更しても良い。
【００３８】前記、文献項目別文献件数時系列、ダミー区間別文献件数動向層別チャート（例として図７参照）より、文献件数と文献件数動向の直線性と勾配の正、負を評価尺度として特定の文献項目を抽出することが出来るが、さらに下記、数２で算出した文献項目別時系列件数動向の前記ダミー区間別勾配を前記文献項目別文献件数時系列、ダミー区間別文献件数動向層別チャート（例として図７参照）に付加して作成した文献項目別時系列件数、ダミー区間別文献件数動向勾配、文献件数動向層別チャート（例として図８参照）を用いると、特定の区間の文献項目の文献件数、文献件数動向勾配の大きさ、文献件数動向の層別記号を用いて所望する文献項目を抽出することができるようになる。
【００３９】
【数２】
2020067998.tif 000004
ここで
Ｘｉは座標名Ｘｉの座標値
Ｙｉは座標名Ｘｉの文献件数
Ｘ′は勾配算出対象区間の座標名Ｘｉの座標値の平均値
Ｙ′は勾配算出対象区間の座標名Ｘｉの文献件数Ｙｉの平均値
ｎは勾配算出対象区間のデータ個数
【００４０】Ｓ５、前記文献項目別文献件数時系列、ダミー区間別文献件数動向層別チャート（例として図７参照）、又は、文献項目別文献件数時系列、ダミー区間別文献件数動向勾配、文献件数動向層別チャート（例として図８参照）の列記号、特定の区間のＢＳのＦタームの文献件数、文献件数動向勾配、文献件数動向の層別記号を使用して課題に叶う文献項目を抽出するステップである。
【００４１】課題に叶う文献項目の抽出は前記文献項目別文献件数時系列、ダミー区間別文献件数動向層別チャート（例として図７参照）、又は、文献項目別文献件数時系列、ダミー区間別文献件数動向勾配、文献件数動向層別チャート（例として図８参照）の文献項目の中から、該表の列と層別記号と文献件数動向勾配と区分別文献件数を使用して課題に叶う文献項目を抽出する。
【００４２】以下、図１〜図２０を参照して上記分析手順を実施例により具体的に説明する。
【００４３】実施例として公開・公表日を２００７年〜２０１７年、特許分類をテーマコード３Ｃ７０７（マニプレータ）の分析対象特許文献集合（文献件数１２２５１件）を使用して、独立文献項目を含まない集合の場合（実施例１）と独立文献項目（該独立文献集合は前記実施例１の分析結果を参照して決定した文献項目とする）を含む場合の集合（実施例２）から課題に叶う文献項目を抽出方法を記載する。
【００４４】実施例１の分析課題は、テーマコード３Ｃ７０７（マニプレータ）のコア技術となる観点ＢＳ（マニプレータの種類、タイプ）のＦターム（以下Ｆタームの記載はテーマコードを省略して、ＢＳのＦタームのように記載する）の中から、（１）公開・公開日、２０１７年まで最も長期間単調増加をしているＦタームを探索すること、（２）直近で文献件数時系列動向がＶ字型転換をしているＦタームを探索することである。
【００４５】Ｓ１、特許文献集合、３Ｃ７０７のＢＳのＦターム別文献件数時系列データ表（図３）を作成するステップである。
【００４６】前記特許文献分析ソフトを用いて記憶装置５に保存してある前記分析対象特許文献集合、３Ｃ７０７を開き、公開・公表年が２００７年〜２０１７年、時間軸区分が１年毎のＢＳのＦターム別文献件数時系列マップを作成、該マップを数値テーブルに切替えて作成したＢＳのＦターム別文献件数時系列データ表（図３）を作成して前記記憶装置５に保存した。
【００４７】Ｓ２、前記ＢＳのＦターム別文献件数時系列データ表（図３）のＸ軸の連続した３個の区分より成る区間のダミーとして文献件数の時系列動向の勾配がゼロ以外の直線となるダミーを設定してＢＳのＦターム別ダミー別文献件数時系列データ表（図４）を作成するステップである。
【００４８】本実施例は特定の区間での文献件数時系列動向が単調増加、又は、単調減少する文献項目を抽出しようとする目的の分析ではないため、前記ＢＳのＦターム別ダミー別文献件数時系列データ表（図４）には、分析対象のＸ軸の連続した３個の区分よりなる全区間に勾配が１となる直線ダミーを設定した。
【００４９】Ｓ３、前記ＢＳのＦターム別文献件数時系列データ表（図３）に前記ダミーと前記文献項目の件数時系列方向の相関係数を追記してＢＳのＦターム別文献件数時系列、ダミー区間別ダミーとの相関係数表（図５）を作成するステップである。
【００５０】前記ＢＳのＦターム別ダミー別文献件数時系列データ表（図４）のダミーと文献項目別件数時系列データ（２００７年〜２０１７年）の行方向の相関係数を前記表計算ソフトを用いて算出、該算出した相関係数の必要部分のみをコピー、前記ＢＳのＦターム別文献件数時系列データ表（図３）にダミー区間別、ダミーとの相関係数欄を設け、該欄にペイストしてＢＳのＦターム別文献件数時系列、ダミーとの相関係数表（図５）を作成した。
【００５１】Ｓ４、前記ＢＳのＦターム別文献件数時系列、ダミー区間別ダミーとの相関係数表（図５）の相関係数と該相関係数の大きさにより前記ダミー区間の文献件数動向を、Ｘ軸に平行、単調増加、近似不可、単調減少の４種類に層別して設定した層別記号（該層別記号は視覚で識別できる機能とコンピュータで昇順、降順の並び替えができる機能を有するものとする）を入れ替えてＢＳのＦターム別文献件数時系列、ダミー区間別文献件数動向層別チャート（図７）を作成するステップである。
【００５２】実施例においては、視覚で識別できる機能を有する識別記号として、Ｘ軸に平行は、→、単調増加は、↑、近似不可は、×、単調減少は、↓、コンピュータで昇順、降順の並び替えができる機能を有する識別記号として、Ｘ軸に平行は１、単調増加は２、近似不可は３、単調減少は４とした２種類の識別記号を一体化した層別記号（図６）と前記ＢＳのＦターム別文献件数時系列、ダミー区間別ダミーとの相関係数表（図５）の相関係数を入れ替えて図７のＢＳのＦターム別文献件数時系列、ダミー区間別文献件数動向層別チャートを作成した。
【００５３】前記ＢＳのＦターム別文献件数時系列、ダミー区間別文献件数動向層別チャート（図７）に前記数２で算出したＢＳのＦターム別ダミー区間別文献件数動向勾配を付加して作成したチャートがＢＳのＦターム別文献件数時系列、ダミー区間別文献件数動向勾配、文献件数動向層別チャート（図８）である。
【００５４】Ｓ５、前記ＢＳのＦターム別文献件数時系列、ダミー区間別文献件数動向層別チャート（図７）又は前記ＢＳのＦターム別文献件数時系列、ダミー区間別文献件数動向勾配、文献件数動向層別チャート（図８）の列記号、特定の区間のＢＳのＦタームの文献件数、文献件数動向勾配、文献件数動向の層別記号を使用して課題に叶う文献項目を抽出するステップである。
【００５５】本実施例では前記ＢＳのＦターム別文献件数時系列、ダミー区間別文献件数動向層別チャート（図７）を用いて課題１の公開・公開日、２０１７年まで最も長期間単調増加を継続してきたＢＳのＦターム、課題２の直近でＶ字型転換をしているＢＳのＦタームの探索を実施した。
【００５６】図９は課題１，２のＦタームを探索するため、前記図７の文献項目のダミー区間別、文献件数動向の層別欄のＤ９列の層別記号を並べ替えのキーとして文献項目を昇順に並び変え、次に、Ｄ９列の層別記号が、↑２の行だけを、Ｄ８列の層別記号を並べ替えのキーとして文献項目を昇順に並び替えたものである。
【００５７】図９より、文献項目ＮＯ３のＢＳ０３のＤ９、Ｄ８の層別記号が（↑  ２）で、該ＢＳ０３が最も長期間単調増加を継続してきた文献項目（図１０）であることがわかる。
【００５８】図９より、文献項目ＮＯ５のＢＳ０９はＤ７の層別記号が単調減少（↓  ４）、Ｄ９の層別記号が単調増加（↑  ２）でＶ字転換している文献項目（図１１）であることがわかる。
【００５９】図９より、文献項目ＮＯ８のＢＳ１３はＤ６とＤ７の層別記号が単調減少（↓  ４）、Ｄ９が層別記号が単調増加（↑  ２）でＶ字転換している文献項目（図１２）であることがわかる。
【００６０】本実施例の文献項目ＮＯ８のＢＳ１３の単調減少区間はＤ６（この間のダミーとの相関係数Ｒ＝−１．０）とＤ７（この間のダミーとの相関係数Ｒ＝−０．９２）の２個の区間で構成されており、直線の一部が重なり合っているので一本の直線ダミーの場合（相関係数Ｒ＝―０．８９）とは異なるが、連続する３区分から成るダミーを小刻みに使用することにより放物線状の文献件数時系列動向の曲線でも、下に凸の曲線か、上に凸の曲線かを判定することが出来ることがわかる。
【００６１】実施例２の課題は独立文献項目の文献件数動向がＶ字型に変化することに伴い変遷する従属文献項目の状況を分析する。
【００６２】実施例１の図１２より、ＢＳ１３（独立文献項目）の件数時系列動向は▲７▼２０１３年〜▲９▼２０１５年は単調減少、▲９▼２０１５年〜▲１１▼２０１７年は単調増加していることが明らかになったので、該ＢＳ１３を構成している従属文献項目の中から（１）▲７▼２０１３年〜▲９▼２０１５年の間は単調減少し、▲９▼２０１５年以降は再び単調増加に転じないＦタームの抽出、（２）▲７▼２０１３年〜▲９▼２０１５年は単調減少、▲９▼２０１５年〜▲１１▼２０１７年は単調増加するＦタームの抽出、（３）▲９▼２０１５年以前は独立文献項目ＢＳ１３と相似の文献件数時系列動向は示していなかったが▲９▼２０１５年〜▲１１▼２０１７年は単調増加するＦタームを探索する。
【００６３】図１３は独立文献項目、ＢＳ１３と該ＢＳ１３の文献集合に含まれている従属文献項目のＦターム別、ダミー別文献件数時系列データ表である。
【００６４】前記図１３を用いて、実施例１と同様な方法で作成したＢＳ１３（独立文献項目）のＦターム（従属文献項目）別文献件数時系列、ダミー区間別文献件数動向層別チャートが図１４である。
【００６５】課題（１）の▲７▼２０１３年〜▲９▼２０１５年の間は単調減少、▲９▼２０１５年以降は再び単調増加に転じないＦタームの抽出は図１４の文献項目のダミー区間別文献件数動向の層別欄のＤ７列の層別記号が単調減少（↓  ４）、Ｄ８列、Ｄ９列の層別記号が単調増加（↑  ２）以外の文献項目であるとして抽出、該抽出した文献項目の中から▲７▼２０１３年〜▲９▼２０１７年の文献件数上位５に限定して作成したＢＳ１３のＦターム別文献件数時系列、ダミー区間別文献件数動向層別チャートが図１５、マップは図１６である。
【００６６】課題（２）の▲７▼２０１３年〜▲９▼２０１５年は単調減少、▲９▼２０１５年〜▲１１▼２０１７年は単調増加するＦタームの抽出は図１４の文献項目のダミー区間別文献件数動向の層別欄のＤ７列の層別記号が単調減少（↓  ４）、Ｄ９列の層別記号が単調増加（↑  ２）する文献列と項目であるとして抽出、該抽出した文献項目の中から▲７▼２０１３年〜▲９▼２０１７年の文献件数上位５に限定して作成したＢＳ１３のＦターム別文献件数時系列、ダミー区間別文献件数動向層別チャートが図１７、マップは図１８である。
【００６７】課題（３）の▲９▼２０１５年以前は独立文献項目ＢＳ１３と相似の件数時系列動向は示していなかったが▲９▼２０１５年〜▲１１▼２０１７年は単調増加するＦタームの抽出は図１４の文献項目のダミー区間別文献件数動向の層別欄のＤ９列の層別記号が単調増加（↑  ４）でＤ７列、Ｄ８列の層別記号は文献項目ＮＯ．０のＢＳ１３の層別記号と一致していない文献項目であるとして抽出、該抽出した文献項目の中から▲７▼２０１３年〜▲９▼２０１７年の文献件数上位５に限定して作成したＢＳ１３のＦターム別文献件数時系列、ダミー区間別文献件数動向層別チャートが図１９、マップは図２０である。
【産業上の利用可能性】
【００６８】本発明は特定の特許文献集合の文献件数時系列マップを作成すること無く、コア技術の変遷に伴う要素技術の変遷や文献件数時系列動向が単調増加、Ｖ字型等の特定の時系列動向パターンを示す文献項目を抽出をすることが出来るので業務の工数低減に寄与することが出来る。
【図１】
2020067998.tif 000005
【図２】
2020067998.tif 000006
【図３】
2020067998.tif 000007
【図４】
2020067998.tif 000008
【図５】
2020067998.tif 000009
【図６】
2020067998.tif 000010
【図７】
2020067998.tif 000011
【図８】
2020067998.tif 000012
【図９】
2020067998.tif 000013
【図１０】
2020067998.tif 000014
【図１１】
2020067998.tif 000015
【図１２】
2020067998.tif 000016
【図１３】
2020067998.tif 000017
【図１４】
2020067998.tif 000018
【図１５】
2020067998.tif 000019
【図１６】
2020067998.tif 000020
【図１７】
2020067998.tif 000021
【図１８】
2020067998.tif 000022
【図１９】
2020067998.tif 000023
【図２０】
2020067998.tif 000024